(57)【要約】      （修正有）【課題】特殊な暖房機、冷房機を使うことなく、メンテナンス費用を抑えることができ、また、特殊工事を必要とせず、躯体構造に制限がかかることがなく、設置コスト及び運転コストを抑えることができる空調システムを提供する。【解決手段】上層階の天井裏スペース内の片壁内面に壁付け設置した、１台の壁掛け式の（居室用の）壁掛け空調機１と、当該上層階の各部屋に対応して各部屋内又は各部屋近傍の天井に天井付け設置した、複数個のパイプファン２３、２４と、壁掛け空調機の取付け箇所近傍の天井に天井付け設置した、１個の天井内吸気用の吸気ガラリ３と、を具備してなり、全てのパイプファンが、吸気ガラリとの平面配置間隔を所定間隔以上確保すると共に、全てのパイプファンが壁掛け空調機の吹出し範囲内にレイアウト（平面配置）される。【選択図】図２
0003233818.tif 000002
【実用新案登録請求の範囲】
【請求項１】
屋根を有する特定の上層階に複数の居室を有し、これら複数の居室が共有の天井裏スペースを有してなる家屋に設けられる空調システムであって、
前記上層階の天井裏スペース内の外壁の内面に壁付け設置した、１台の壁掛け空調機と、
当該上層階の複数の居室に対応して各居室内又は居室外近傍の天井にそれぞれ天井付け設置した、上層階の複数個のパイプファンと、
壁掛け空調機の取付け箇所近傍の天井に天井付け設置した、１個の天井内吸気用の吸気ガラリと、を具備してなり、
前記複数個のパイプファンすべてが、吸気ガラリとの平面配置間隔を所定間隔以上確保すると共に、
前記複数個のパイプファンすべてが、１台の壁掛け空調機の吹出し先の共有の天井裏スペース内にレイアウトされ、
前記共有の天井裏スペース内に充満した天井裏スペース内の空調空気が各パイプファンから各居室内又は居室外近傍の天井下に流下することで、各居室を空調することを特徴とする空調システム。
【請求項２】
前記壁掛け空調機は、無線リモコンによって制御信号を受光する受光部を備え、
前記吸気ガラリは隙間を有して列設された複数の羽板を備え、
また、吸気ガラリの下部近傍の居室又は廊下内であって、壁掛け空調機の信号前記受光部が受光可能な領域に配置した発光コントローラーを更に備え、
前記発光コントローラーによって吸気ガラリの隙間を通じて壁掛け空調機を制御可能であることを特徴とする、請求項１に記載の空調システム。
【請求項３】
前記天井裏スペースが、立面断面視にて、少なくとも片側に向かって天井内高さが小さくなる傾斜形状又は段付き形状で構成され、当該形状のうち最大天井内高さの部分又はその近傍の壁内面に、天井面から所定以上の取付け高さで壁掛け空調機を取り付けたことを特徴とする、請求項１又は２に記載の空調システム。
【請求項４】
前記壁掛け空調機は、空調気流の吹き出し角度を可変調整可能なルーバーを備えてなり、
ルーバーの可変調整範囲が、前記上層階の複数個のパイプファンそれぞれの平面視配置に対応して、壁掛け空調機の平面視吹出し方向が上層階の複数個のパイプファンすべてを含むように設定されることを特徴とする、請求項１、２又は３のいずれかに記載の空調システム。
【請求項５】
前記家屋は、前記天井裏スペースを有する上層階とその階下との間を上下通気可能な気流連通部と、
当該上層階に連通して形成された、複数の居室と隣り合う共有部（廊下又はオープンロビー）とを具備してなり、
前記吸気ガラリを、気流連通部又は共有部の天井に配置したことを特徴とする、請求項１、２、３又は４のいずれかに記載の空調システム。
【請求項６】
当該上層階の複数の部屋の少なくとも１室以上が、自然吸気用のドアルーバーと、機械排気用の排気口とを備えた第三種換気室であって、
この第三種換気室の室外であってドアルーバー近傍の天井に、当該第三種換気室空調用のパイプファンを配置したことを特徴とする、請求項１、２、３、４又は５のいずれかに記載の空調システム。
【請求項７】
。
当該上層階の複数の部屋は、機械排気による排気管と連通した第一種換気室又は第三種換気室からなると共に、当該複数の第一種換気室又は第三種換気室の各排気口が、床面（又は床近傍の壁面）に設けられ、
排気口に共有連通する一台の排気ファンを、当該上層階又は最下階の床下に設け、
排気機械換気を床下にて集中制御することを特徴とする、請求項１、２、３、４、５、又は６のいずれかに記載の空調システム。
【考案の詳細な説明】
【技術分野】
【０００１】
２階以上の階建て家屋に設置される空調システムであって、特に複数の居室に共有される天井裏スペースを利用したシステムに関する。
【背景技術】
【０００２】
従来、天井裏の空間を空調室とし、この空調室から各部屋への送気口を備えた家屋全体の空調システムが開示される。
【０００３】
例えば特許文献１（特開平05-010554）は、小屋裏空間１、床下空間３を壁内空間７で連通化し、またこれらの空間と居住空間２とを通気口２０で結び、一方床下空間３には床下空間暖房部８を設け、また熱交換型換気扇２３を配設すると共に床下空間３と熱交換型換気扇２３、居住空間２に設けた排気口２２と熱交換型換気扇２３をパイプによってそれぞれ連結し、かつ、排気口２２と熱交換型換気扇２３の途中に冷却機２５を配する構成からなる。この構成により、冬季は床下空間暖房部８による暖房、夏季は冷却機２５による冷房を行い、熱交換型換気扇２３による換気と冷暖房を行うことを可能とした、とされる。
【０００４】
また、例えば特許文献２（特登-02663153 ）は、壁内空間を具備した家屋であって、外壁断熱層６と内壁23間に設けたものであり、小屋裏空間１と床下空間３とを連通化し、壁掛け空調機９によって冷却、送風された空気が自然対流によって流れる空間である。８はパイプで小屋裏空間１と床下空間３とを壁掛け空調機９を介して結ぶもの、とされる。
【先行技術文献】
【特許文献】
【０００５】
【特許文献１】特開平５−０１０５５４号公報
【特許文献２】特許第２６６３１５３号公報
【考案の概要】
【考案が解決しようとする課題】
【０００６】
しかし、上記特許文献１、２の構成には以下のような問題があるため、実用性に欠けるものであった。
【０００７】
すなわち上記特許文献１の構成は、特殊な暖房機、冷房機を使う必要があり、メンテナンス費用が高い。また、特殊工事が必要なため、すぐに修理の手配ができず、しばらく無暖房・無冷房の期間が生じるという問題がある。
【０００８】
また上記特許文献２の構成は、床下、壁内、屋根裏を一体空間といて計画するシステムのため、厳しい躯体構造の制限がかかり、設置コストが増加するという問題がある。
【０００９】
そこで本考案は、特殊な暖房機、冷房機を使うことなく、メンテナンス費用を抑えることができ、また、特殊工事を必要とせず、躯体構造に制限がかかることがなく、設置コスト及び運転コストを抑えることができる空調システムを提供することを課題とする。
【課題を解決するための手段】
【００１０】
本考案の空調システムは下記［１］〜［９］を特徴とする。なお、以下の構成名称に続けて記載する括弧付きの数字列又は数字とアルファベットからなる文字列は、実施例として示す各図にて相当する構成例を理解するために便宜的に付した符号であり、これによって構成ないし概念を限定するものではない。
【００１１】
[１]上層階に複数の居室を有し、これら複数の居室が共有の天井裏スペースを有してなる家屋に設けられる空調システムであって、
上層階の天井裏スペース内の片壁内面に壁付け設置した、１台の壁掛け式の居室用の壁掛け空調機（１）と、
当該上層階の各部屋に対応して各部屋内又は各部屋近傍の天井に天井付け設置した、複数個のパイプファン（２）と、
壁掛け空調機の取付け箇所近傍の天井に天井付け設置した、１個の天井内吸気用の吸気ガラリ（３）と、を具備してなり、
全てのパイプファン（２）が、吸気ガラリ（３）との平面配置間隔を少なくとも２ｍの所定間隔以上確保すると共に、
全てのパイプファン（２）が壁掛け空調機の吹出し範囲内にレイアウト（平面配置）され、
天井裏スペース内の空調空気が各パイプファンから流下することで各居室を空調することを特徴とする。
【００１２】
上記構成であれば、各部屋に壁掛け空調機を設置するよりも安価にシステム構成することができる。また、家屋の躯体に構造上の変更を加えることなく設置することができる。
【００１３】
各パイプファン（２）の吸気口はグリル枠が天井の取り付け部の開口に枠内連通した状態で設置され、ファン運転可能に制御される。ただし、天井内のファンの吸気部はパイプ連結されずに天井裏スペース内に解放される。またパイプファンは、空調の必要な居室数、または空調の必要な居室内容積に対応して一つずつ設けられる。
なお、パイプファンの代わりにシャッター付きの天井用ディフューザーや天井用ルーバーを用いてもよい。各パイプファンの運転スイッチを制御するか、または各天井用ディフューザーや天井用ルーバーのシャッターの開閉スイッチを制御することで、必要な居室空間を空調することができる。居室ごとに空調機を設置するよりも安価で効率的な空調能力を確保することができる。
【００１４】
[２]前記壁掛け空調機は、無線リモコンによって制御信号を受光する受光部（１２）を備え、
前記吸気ガラリ（３）は隙間を有して列設された複数の（片流れ方向の）羽板（３１）を備え、
また、当該上層階の吸気ガラリ（３）の下部近傍（の居室又は廊下内）であって、壁掛け空調機の信号前記受光部が受光可能な領域に配置した発光コントローラー（１４）を更に備え、
発光コントローラーによって吸気ガラリの隙間を通じて壁掛け空調機を通信制御可能であることを特徴とする。
【００１５】
[３] 前記いずれかの壁掛け空調機は、天井裏スペースが、（任意の）立面断面視にて、壁部高さが片側に向かって小さくなる片流れ形状又は段付き形状で構成され、当該形状の最も大きい壁部高さの壁内面に、所定以上の取付け高さで壁掛け空調機を取り付けたことを特徴とする。
【００１６】
[４] 前記いずれかの壁掛け空調機は、空調気流の吹き出し角度を可変調整可能なルーバー（１２）を備えてなり、
可変調整範囲が、当該上層階に対応した複数のパイプファンの平面視配置の最大角度かつ立断面視配置の最大角度の範囲に設定されることを特徴とする。
【００１７】
[５] 前記いずれかの壁掛け空調機は、当該上層階とその階下との間を上下通気可能な気流連通部（階段又は吹き抜け部）と、
当該上層階に連通して形成された、複数の居室と隣り合う共有部（廊下又はオープンロビー）とを具備してなり、
前記吸気ガラリ（３）を、気流連通部又は共有部の天井に配置したことを特徴とする。
【００１８】
[６] 前記いずれかの壁掛け空調機は、当該上層階の複数の部屋の少なくとも１室以上が、自然吸気用のドアルーバー（TL）と、機械排気用の排気口とを備えた第三種換気室（T2）であって、
この第三種換気室の室外であってドアルーバー近傍の天井に、当該第三種換気室空調用のパイプファン（２４）を配置したことを特徴とする。
【００１９】
[７] 前記いずれかの壁掛け空調機において、
当該上層階の複数の部屋は、機械排気による排気管と連通した第一種換気室又は第三種換気室からなると共に、当該複数の第一種換気室又は第三種換気室の各排気口が、床面（又は床近傍の壁面）に設けられ、
排気口に共有連通する一台の排気ファンを、当該上層階又は最下階の床下に設け、
排気機械換気を床下にて集中制御することを特徴とする。
【００２０】
[８]前記いずれかの壁掛け空調機は、さらに、
下階に床下スペースを有し、
当該床下スペース内に全熱交換器を設け、
排気空調を床下にて集中制御すると共に全熱交換器によって床下スペース内に冷暖房気流を排出して、当該下階の床下スペース領域の床冷暖房を行うことを特徴とする。
【００２１】
[９] 前記いずれかの壁掛け空調機においては、当該上層階の天井に、その天井裏スペース内に収納可能な天井内収納梯子（４）をさらに具備してなり、
天井裏スペース内の収納状態の梯子構成材の高さ（４１Ｈ）よりも高い取付け高さで壁掛け空調機を取り付けたことを特徴としてもよい。
【考案の効果】
【００２２】
本考案は上記手段を講じることで、特殊な暖房機、冷房機を使うことなく、メンテナンス費用を抑えることができ、また、特殊工事を必要とせず、躯体構造に制限がかかることがなく、設置コスト及び運転コストを抑えることができる空調システムを提供することができた。
【図面の簡単な説明】
【００２３】
【図１】実施例１の空調システムを具備した家屋の冷房運転状態を示す立断面図。
【図２】図１のα部分拡大図（図３のβ部分の立断面拡大図）。
【図３】図１の家屋の２階天井内設備を示す２階天井伏図。
【図４】図３のγ部分拡大図。
【図５】図１の家屋の１階床下内設備を示す１階床伏図。
【図６】図５のδ部分拡大図。
【図７】実施例１の空調システムを具備した家屋の暖房運転状態を示す立断面図。
【図８】実施例２の空調システムを具備した家屋の２階天井内設備を示す２階天井伏図。
【図９】実施例２の２階天井内設備を示す、図８のε部分の立断面拡大図。
【図１０】実施例３の空調システムを具備した家屋の２階天井内設備を示す２階天井伏図。
【図１１】実施例３の２階天井内設備を示す、図１０のζ部分の立断面拡大図。
【図１２】実施例４，５，６，７の各２階天井内設備を示す部分立断面図。
【考案を実施するための最良の形態】
【００２４】
実施例１〜７の各図として示す図面と共に本考案を説明する。
【００２５】
（実施例１）
図１は、実施例１の空調システムを具備した家屋の冷房運転状態を示す立断面図である。２階建家屋であり、最上階の２階部分Ｈ２に、天井内の壁掛け空調機１による天井空調システム１００を具備すると共に、最下階の１階部分Ｈ１に、床下内の熱交換器６による床下空調換気システム６００を具備する。
【００２６】
天井空調システム１００と床下空調換気システム６００とを組み合わせることで、各階の床下から排気換気しながら各階の天井又は天井付近から空調する、効率的な空調換気システムとなる。
【００２７】
冷房時は、２階部分の各居室Ｒ２はすべて共通する天井内空間Ａに設置した壁掛け空調機１によって空調気流ＳＡを発生させ、各部屋の天井に天井付け設置した各パイプファン２から空調気流を流下供給する。２階の冷房空調気流は廊下部分にも流下され、廊下と連通する２階トイレＴ２１内や、廊下と連通する階段部分の冷房も同時に行うことができる。但し、１階部分の居室Ｒ１の冷房は１階の壁掛け空調機９で行う。
【００２８】
２階の換気排気は２階の床に設けた排気口からファン７Ｆ吸気によって行う。つまり各居室は第三種換気であり、これにより、天井からの冷房空調気流の流下が効率化する。
【００２９】
図２は、図１のα部分拡大図（図３のβ部分の立断面拡大図）である。最上階である２階天井内は、片流れ型の屋根Ｒによって天井内高さＡＨ１、ＡＨ３が空間内で異なるものとなっている。
【００３０】
このうち、所定の設置個所の天井内高さＡＨ１２以上を確保した、比較的大きい天井内高さＡＨ１の壁内面に壁掛け空調機１を取り付け、比較的小さい天井内高さＡＨ２の壁面側へ空調空気を吹き出すものとする。異なる高さの天井内空間に壁掛け空調器を設置することで、冷房循環気流を発生させることができ、各居室への冷房空調気流の流下効率が向上する。
【００３１】
壁掛け空調機１の設置個所の天井内高さＡＨ１２は、天井内に取り付けた点検用収納梯子の収納時高さ４１Ｈよりも大きく、かつ、各居室の天井に設けた最遠のパイプファン（図２では第三パイプファン２３）の天井内吸気部の天井内高さ２３Ｈよりも大きい。
【００３２】
また壁掛け空調機１は、吹き出し口１２が、各居室の天井に設けたパイプファンの方向を向いて設置される。吹き出し方向の上下範囲は、各居室の天井に設けた最遠のパイプファンの天井内吸気部を含む範囲となっている。
【００３３】
パイプファン２は天井取り付け型のルーバー口とその上部に取り付けられたファンからなり、下方向へファン気流を発生させる。但し、天井内の接続口を開放した状態で天井に取り付けられ、この接続口が天井内吸気部となる。
【００３４】
２階の各居室Ｒ２に対応して、居室ごとに１つまたは２つ以上設けられる。但しショートサーキット回避のため、吸気ガラリ３とは所定の距離を開けて設けられる。
【００３５】
パイプファン２は廊下天井にも設置される。但し、トイレや洗面といった、ルーバー付き扉又はルーバー付き間仕切りを有する第三種換気室の近傍に設置される。これにより図２の２点鎖線で示すように、冷房気流が廊下を通じて当該第三種換気室に取り込まれる。
【００３６】
天井内の壁面、及び屋根面には結露を防止するための断熱材５１，５２が設けられる。このうち屋根断熱材５１は屋根板構造として介設した断熱材である。
【００３７】
吸気ガラリは天井内の壁掛け空調機１の設置部近傍の天井に取り付けられる、天井取り付け形のルーバーからなる。図に示す実施例の形態では、固定式または可動式のガラリフィンを有してなる。
【００３８】
防火区画化の必要がある場合は、防火シャッター付きの吸気ガラリを用いることができる。
【００３９】
空調前空気は、壁掛け空調機１設置壁近傍の天井に天井付け設置した吸気ガラリ３から取り込む。また吸気ガラリ３近傍の２階壁部には、壁掛け空調機１を運転制御するコントローラー（リモコン）１４が設けられる。
【００４０】
この吸気ガラリ３は、壁掛け空調機１から見たコントローラーの設置方向と略平行な、斜め方向のガラリフィンを有してなる。これにより、天井内の壁掛け空調機１のリモコン受光部１３からの受光信号を通過させる役割を果たしている。
【００４１】
図３は、図１の家屋の２階天井内設備を示す２階天井伏図である。また図４は、図３のγ部分拡大図である。廊下の天井内には壁掛け空調機１が設置されると共に、壁掛け空調機１の正面側近傍のＣ２の天井部に、収納梯子点検口４が設置される。これにより、天井内の壁掛け空調機の設置やメンテナンスが容易となる。
【００４２】
また、廊下のうち、トイレ前の廊下Ｃ２の天井部に、共用部用のパイプファン２４が設置される。これにより図３に示すように、冷房気流が廊下を通じて当該トイレ（第三種換気室）の室内に取り込まれる。
【００４３】
第一〜第四パイプファンは、２階の居室それぞれ又は居室近傍の共用部に対応して設けられる。各室内の空調容積に対応した大きさのパイプファンを選択し、或いは必要に応じて流量を絞り調節できる流量調整器付きのパイプファンを設けてもよい。
【００４４】
壁掛け空調機１の吹出し可能な平面範囲内にて平面レイアウトされる。壁掛け空調機１は２つの吹き出し口を有しており、各吹き出し口による平面吹き出し範囲（１２１Ｗ，１２２Ｗ）は、各居室天井に配置した第一パイプファン２１〜第四パイプファン２４の各中心による、平面レイアウト（図４）方向の範囲に設定される。
【００４５】
壁掛け空調機１に設けられた制御信号の受光部１３は、受光方向１３Ｖの先側に吸気ガラリ１３及び２階の仕切り壁に設置したコントローラー１４がレイアウトされる。なお符号１６は室外機、符号１５は室外機１６との接続管である。
【００４６】
図５は、図１の家屋の１階床下内設備を示す１階床伏図であり、図６は、図５のδ部分拡大図である。
【００４７】
実施例１は各部屋の床に排気用の吸気口を設け、各階の各居室の吸気口から連通した排気ダクトが合流して、１階の床下空間内に設けた全熱交換器の吸気口内へ連通される。この排気空気は全熱交換器が外部から取り込んだ新鮮空気と熱交換されて、家屋外へ集中排気される。全熱交換器は外気から取り込んだ新鮮空気を前記集中排気空気と熱交換して床下空間内に供給する。
【００４８】
床下空間内に供給された熱交換後の新鮮空気は、一階床上の新鮮空気口（８）から家屋内に取り込まれる。
【００４９】
上記の通り、床下空調（夏季は床下冷房、冬季は床下暖房）と集合換気とを組み合わせた換気方式とすることで、前記２階天井内空間での壁掛け空調機による空調効率をより高めるものとしている。
【００５０】
図７は、実施例１の空調システムを具備した家屋の暖房運転状態を示す立断面図である。
暖房時には、２階の天井内スペース全体が暖められることで家屋の最上階の天井内スペースに暖気の空間を保持することとなる。この天井内スペースの暖気が暖気のエアーカーテンとして家屋上部を熱遮断すると共に、パイプファンから２階の各部屋へ流下することで、暖房気流が各部屋へ効率的に分配される。
【００５１】
また１階の各部屋では独立して設置された１階部分用のエアコンが暖房運転を行うところ、この１階部分のエアコンによる暖気が、階段Ｓ１２の連通空間を通じて２階へ自然上昇する。この自然上昇した暖気によって２階の床部付近が暖められる。このようにして、暖房運転状態でも効率的な２階部分の暖房を行うことができる。
【００５２】
（実施例２）
図８は、実施例２の空調システムを具備した家屋の２階天井内設備を示す２階天井伏図である。図９は、実施例２の２階天井内設備を示す、図８のε部分の立断面拡大図である。
【００５３】
実施例２では壁掛け空調機の吹出し口下方に整流ルーバー１２Ｌが設けられ、天井内の壁掛け空調機直下への空調気流の吹き出しを遮蔽するものとしている。
【００５４】
また実施例２ではパイプファンの天井内吸気部の側面に平板状の整流板が１枚また２枚立設され、天井内の壁掛け空調機の吹出し気流を整流し不要箇所への気流を遮蔽するものとしている。
【００５５】
（実施例３）
図１０は、実施例３の空調システムを具備した家屋の２階天井内設備を示す２階天井伏図である。図１１は、実施例３の２階天井内設備を示す、図１０のζ部分の立断面拡大図である。
【００５６】
実施例３では壁掛け空調機、吸気ガラリ、パイプファン、及び点検口が、実施例１，２とは異なるレイアウトで平面配置される。具体的には、平面視にて壁掛け空調機の配置位置が第三居室Ｒ２３寄り（図１０の下部）、かつ第三居室Ｒ２３のクローゼット上部となっている。また吸気ガラリ３は第三居室内に、収納梯子付き点検口４は第二居室Ｒ２２内に設けられる。
【００５７】
また、実施例３の屋根は第三居室側から階段側へ傾斜下降する片流れ型の屋根Ｒとなっており、天井内空間は図１１の向かって右側から左側へ、天井内高さＡＨが小さくなる。
【００５８】
このうち天井内高さＡＨ１２を確保した箇所に壁掛け空調機が壁取り付けされる。また実施例３ではパイプファンの天井内吸気部の側面にＬ型板状の整流板が立設され、天井内の壁掛け空調機の吹出し気流を整流し不要箇所への気流を遮蔽するものとしている。
【００５９】
実施例３のように、吹き出し範囲と各居室の位置関係、室外機の配置位置、又は屋根構造によって、壁掛け空調機、吸気ガラリ、パイプファン、及び点検口といった本システムの構成を、異なる平面レイアウトで設置することができる。
【００６０】
（実施例４〜７）
図１２（ａ）（ｂ）（ｃ）（ｄ）は、実施例４，５，６，７の各２階天井内設備を示す部分立断面図である。図１２（a）は片流れ屋根、図１２（ｂ）は段違いの陸屋根、図１２（ｃ）はのこぎり屋根、図１２（ｄ）は切妻（又は寄棟、方形）屋根であり、それぞれ天井内空間Ａにおいて、最大天井内高さＡＨ１の壁面に壁掛け空調機１を取り付け、前記最大天井内高さＡＨ１の壁面から、最小天井内高さＡＨ２を含む天井裏スペース内へ空調気流を吹出すようにしている。
【００６１】
図１２（ａ）（ｂ）（ｃ）は壁掛け空調機１を側面側から見た実施例４，５，６の各天井裏スペースの断面図であり、いずれも向かって左側の、最大天井内高さＡＨ１の壁面に壁掛け空調機１を設置し、吸気ガラリ３を壁掛け空調機１の設置壁面近傍の天井に設置している。
【００６２】
また、図１２（ｄ）は壁掛け空調機１を正面側から見た実施例７の天井裏スペースの断面図であり、向かって中央の、最大天井内高さＡＨ１の壁面に壁掛け空調機１を設置し、吸気ガラリ３を壁掛け空調機１の直下の天井に設置している。
【００６３】
図１２（ａ）（ｃ）（ｄ）に示すような傾斜屋根Ｒ１の下方傾斜方向に沿って空調気流を供給することで、壁掛け空調機から遠方へ向かうほど縦断面積（流量面積）が小さくなるため遠方寄りの天井内空間に空調気流が行き渡りやすい。また、より小さい天井内高さＡＨ２すなわち縦断面積（流量面積）の比較的小さい部分で循環気流が発生する。これらにより天井内空間Ａの空気循環効果が生じる。
【００６４】
本考案の空調システムは、天井内空調として汎用の壁掛けエアコンしか使わないため、故障してもメンテナンス費用が安く、誰でも修理できるためすぐに手配できる、という利点がある。
【００６５】
また本考案の天井内空間は壁掛け空調機の取付け面が高さ１ｍを確保できていれば施工可能である。これは、屋根裏と２階居室の関連のみのため、躯体構造の制限がない。すなわち、天井内空調設備を導入するためにコスト増となるような躯体構造工事の必要がない。
【００６６】
また本考案によれば、特殊な冷暖房機を使う必要がなく、特殊な工事も必要としないため、設置コストが抑えられる。
【００６７】
以上、本考案及び本考案の実施形態例である各実施例の構成について説明したが、本考案は上述した構成ないし図面に表わした構成に限定されることなく、本考案の趣旨を逸脱しない範囲で種々の変更や変形、例えば、各構成のレイアウト、大きさの変更、一部構成の省略ないし削除が可能である。また、新規構成の付加ないし他の構成部品との組合せ、各実施例間の一部構成同士の組合せないし置換、一部の構成部品それぞれの抽出や合体が可能である。
【００６８】
また、各実施例の構成のうち、少なくとも特定の上層階の天井裏空間Ａ内に壁掛け設置される壁掛け空調機１と、当該上層階の各部屋に対応したパイプファン２１，２２，２３，２４とを具備していれば本考案の空調システムを構成することができる。各実施例の構成に限らず、上層階を有する家屋の任意の上層階の天井裏空間Ａに設置する際、当該上層階の部屋割りや各部屋の用途に応じて適宜レイアウトを変更することができる。
【００６９】
壁掛け空調機１、パイプファン２１，２２，２３，２４、吸気ガラリ３、収納梯子付き点検口４、収納梯子４１、天井内断熱材５のそれぞれ一つ以上を組み合わせてもよいし、実施例１のように各階にて床下排気口と床下排気口に対応する排気設備を組み合わせてもよい。前記各構成は、実施例として示したものの他、異なる形状、構造ないし仕様のものを使用してもよいし、各構成の台数を変更してもよい。
【符号の説明】
【００７０】
１  壁掛け空調機
２２１，２２，２３，２４パイプファン
３  吸気ガラリ
４  収納梯子付き点検口
４１  収納梯子
５  天井内断熱材
Ａ  天井裏空間（天井内スペース）
ＩＡ  空調前気流
ＳＡ  空調気流
ＣＡ  循環気流
【図１】
0003233818.tif 000003
【図２】
0003233818.tif 000004
【図３】
0003233818.tif 000005
【図４】
0003233818.tif 000006
【図５】
0003233818.tif 000007
【図６】
0003233818.tif 000008
【図７】
0003233818.tif 000009
【図８】
0003233818.tif 000010
【図９】
0003233818.tif 000011
【図１０】
0003233818.tif 000012
【図１１】
0003233818.tif 000013
【図１２】
0003233818.tif 000014